(57)【要約】【課題】ピンやブラシを突出させて使用する際，必ずしもロック機構を設けなくてもピンやブラシが本体内に戻りにくくして使い勝手を向上させ，ピンやブラシが誤って突出するという事態を防止し，ピンとブラシとを同時に突出させて使用する際の使い勝手も向上させる。【解決手段】把持可能な本体１０に回動可能に設けられたクリーニングピン２０と，本体１０に回動可能に設けられ，回動させることによりクリーニングピン２０を回動させてその先端２１を出没させる操作部３０と，本体１０に回動可能に設けられた基部４０に植設されたクリーニングブラシ４１とを有し，基部４０を回動させることによりクリーニングブラシ４１が本体１０に対し出没する。【選択図】図１
2006075291.tif 000002
【特許請求の範囲】
【請求項１】
把持可能な本体と，
この本体に回動可能に設けられたクリーニングピンと，
前記本体に回動可能に設けられた操作部であって，当該操作部を回動させることにより前記クリーニングピンを回動させて当該クリーニングピンの先端を前記本体に対し出没させる操作部と，
を備えたことを特徴とするゴルフクラブヘッドクリーナ。
【請求項２】
把持可能な本体と，
この本体に回動可能に設けられた基部と，この基部に植設されたクリーニングブラシとを有し，
前記基部を回動させることにより前記クリーニングブラシが前記本体に対し出没することを特徴とするゴルフクラブヘッドクリーナ。
【請求項３】
把持可能な本体と，
この本体に回動可能に設けられたクリーニングピンと，
前記本体に回動可能に設けられた操作部であって，当該操作部を回動させることにより前記クリーニングピンを回動させて当該クリーニングピンの先端を前記本体に対し出没させる操作部と，
前記本体に回動可能に設けられた基部と，この基部に植設されたクリーニングブラシとを有し，
前記基部を回動させることにより前記クリーニングブラシが前記本体に対し出没することを特徴とするゴルフクラブヘッドクリーナ。
【請求項４】
前記クリーニングピンを突出させる際の前記操作部の回動方向と，前記クリーニングブラシを突出させる際の前記基部の回動方向とが逆方向となっていることを特徴とする請求項３記載のゴルフクラブヘッドクリーナ。
【請求項５】
前記本体は前記クリーニングピンと操作部とが設けられる円盤部と，この円盤部から一体に伸びる把持部とを有し，この把持部の伸び方向と，突出された状態の前記クリーニングピンの突出方向とが鈍角をないしていることを特徴とする請求項１，３，または４記載のゴルフクラブヘッドクリーナ。
【請求項６】
前記本体は前記基部が回動可能に設けられた円盤部と，この円盤部から一体に伸びる把持部とを有し，この把持部の伸び方向と，突出された状態の前記クリーニングブラシの突出方向とが鈍角をないしていることを特徴とする請求項２，３，４，または５記載のゴルフクラブヘッドクリーナ。
【請求項７】
前記把持部には，研磨用部材が着脱可能に装着されていることを特徴とする請求項５または６記載のゴルフクラブヘッドクリーナ。
【請求項８】
前記研磨用部材は，細目用部材と，この細目用部材に一体的に結合された荒目用部材とを有しており，当該研磨用部材の前記把持部に対する装着方向を選択することにより，細目用部材と荒目用部材とを選択的に使用可能であることを特徴とする請求項７記載のゴルフクラブヘッドクリーナ。
【請求項９】
前記クリーニングピンは，その元部が前記本体に対して第１の回動中心回りに回動可能に設けられているとともに，前記操作部は前記クリーニングピンの回動中心とは別の第２の回転中心回りに回動可能に取り付けられており，当該操作部には，これを回動させた際に，前記クリーニングピンに当接しつつ前記第１の回動中心に近づいてクリーニングピンを突出させる当接部が設けられていることを特徴とする請求項１，または３〜８のうちいずれか１項に記載のゴルフクラブヘッドクリーナ。
【請求項１０】
前記操作部は円板とこの円板と一体のリング状周壁とを有していて前記クリーニングピンを覆う円形カバーで構成されており，この円形カバーが前記本体に対して前記クリーニングピンの回動中心とは別の第２の回転中心回りに回動可能に取り付けられているとともに，前記周壁には，前記クリーニングピンの突出を許す開口が設けられており，かつこの開口の口縁部が，前記当接部を構成していることを特徴とする請求項９記載のゴルフクラブヘッドクリーナ。
【発明の詳細な説明】
【技術分野】
【０００１】
本発明は，ゴルフクラブヘッドクリーナに関するものである。
【背景技術】
【０００２】
一般に，ゴルフゲーム時には，ゴルフクラブヘッドに泥等の異物が付着することがある。
そこで，従来，上記異物を除去するブラシと先がとがったピンとを有する携帯簡便なクリーナーを提供する目的で，本体（１）に対しブラシ（２）とピン（３）とそれぞれスライドさせて出没可能に併設するとともに，本体（１）にふた（１１）をかぶせることができるようにしたゴルフクラブヘッドクリーナーが提案されている（例えば特許文献１参照）。
【特許文献１】実開平５−３５１６３号公報
【発明の開示】
【発明が解決しようとする課題】
【０００３】
上述した従来のゴルフクラブヘッドクリーナには，次のような問題がある。
１．ブラシとピンとをスライド構造にして本体に対して出没可能としてあるので，ブラシまたはピンを突出させて使用する際，ブラシやピンに作用する力の方向とスライド方向とが同一であるため，強い力で使用すると，ブラシやピンが本体内に戻ってしまうおそれがあって使いにくい。このため，ブラシやピンが本体内に退避しないように（戻ってしまわないように）するためのロック機構を構成するのが大変である。
２．ブラシとピンとをスライド構造にして本体に対して出没可能としてあるので，ブラシやピンが誤って突出しやすい。したがって，それを防止する蓋が必要である。
３．ブラシとピンとが本体から同方向へ突出する構造となっているので，ブラシとピンとを同時に突出させて使用することが困難である。すなわち，ブラシを利用しようとするとピンが邪魔になり，ピンを利用しようとするとブラシが邪魔になる。
【０００４】
したがって本発明の目的は次の通りである。
１．ピンやブラシを突出させて使用する際，必ずしもロック機構を設けなくてもピンやブラシが本体内に戻りにくくして使い勝手を向上させる。
２．ピンやブラシが誤って突出するという事態を生じにくくする。
３．ピンとブラシとを同時に突出させて使用する際の使い勝手を向上させる。
【課題を解決するための手段】
【０００５】
上記１，２の目的を同時に達成するために，本発明のゴルフクラブヘッドクリーナは，
把持可能な本体と，
この本体に回動可能に設けられたクリーニングピンと，
前記本体に回動可能に設けられた操作部であって，当該操作部を回動させることにより前記クリーニングピンを回動させて当該クリーニングピンの先端を前記本体に対し出没させる操作部と，
を備えたことを特徴とする。
このような構成によれば，クリーニングピンが回動によって本体から突出するので，クリーニングピンを突出させて使用する際にクリーニングピンに作用する力の方向とクリーニングピンが本体に戻る方向とが異なることとなる。したがって，必ずしもロック機構を設けなくてもクリーニングピンが本体に戻りにくくなって使い勝手が向上する。
また，クリーニングピンを回動構造にして本体に対して出没可能としてあるので，クリーニングピンが誤って突出するという事態が生じにくくなる。
また，上記１，２の目的を同時に達成するために，本発明のゴルフクラブヘッドクリーナは，
把持可能な本体と，
この本体に回動可能に設けられた基部と，この基部に植設されたクリーニングブラシとを有し，
前記基部を回動させることにより前記クリーニングブラシが前記本体に対し出没することを特徴とする。
このような構成によれば，クリーニングブラシが回動によって本体から突出するので，クリーニングブラシを突出させて使用する際にクリーニングブラシに作用する力の方向とクリーニングブラシが本体に戻る方向とが異なることとなる。したがって，必ずしもロック機構を設けなくてもクリーニングブラシが本体に戻りにくくなって使い勝手が向上する。
また，クリーニングブラシを回動構造にして本体に対して出没可能としてあるので，クリーニングブラシが誤って突出するという事態が生じにくくなる。
また，上記１，２の目的を同時に達成するために，本発明のゴルフクラブヘッドクリーナは，
把持可能な本体と，
この本体に回動可能に設けられたクリーニングピンと，
前記本体に回動可能に設けられた操作部であって，当該操作部を回動させることにより前記クリーニングピンを回動させて当該クリーニングピンの先端を前記本体に対し出没させる操作部と，
前記本体に回動可能に設けられた基部と，この基部に植設されたクリーニングブラシとを有し，
前記基部を回動させることにより前記クリーニングブラシが前記本体に対し出没することを特徴とする。
このような構成によれば，クリーニングピンやクリーニングブラシが回動によって本体から突出するので，クリーニングピンやクリーニングブラシを突出させて使用する際にクリーニングピンやクリーニングブラシに作用する力の方向とクリーニングピンやクリーニングブラシが本体に戻る方向とが異なることとなる。したがって，必ずしもロック機構を設けなくてもクリーニングピンやクリーニングブラシが本体に戻りにくくなって使い勝手が向上する。
また，クリーニングピンやクリーニングブラシを回動構造にして本体に対して出没可能としてあるので，クリーニングピンやクリーニングブラシが誤って突出するという事態が生じにくくなる。
上記１〜３の目的を同時に達成するために，本発明のゴルフクラブヘッドクリーナは，さらに，
前記クリーニングピンを突出させる際の前記操作部の回動方向と，前記クリーニングブラシを突出させる際の前記基部の回動方向とを逆方向とする。
このような構成とすれば，クリーニングピンとクリーニングブラシとが本体に対して異なる方向へ突出する。
したがって，クリーニングピンとクリーニングブラシとを同時に突出させて使用する際の使い勝手が向上する。すなわち，ブラシを利用する場合，ピンは邪魔にならず，ピンを利用する場合，ブラシは邪魔にならない。
望ましくは，前記本体は前記クリーニングピンと操作部とが設けられる円盤部と，この円盤部から一体に伸びる把持部とを有し，この把持部の伸び方向と，突出された状態の前記クリーニングピンの突出方向とが鈍角をなす構成とする。
このように構成すると，把持部を握ってクリーニングする際，クリーニングピンが斜め前方に向くこととなるので，使い勝手がさらに向上する。
また望ましくは，前記把持部の伸び方向と，突出された状態の前記クリーニングブラシの突出方向とが鈍角をなす構成とする。
このように構成すると，把持部を握ってクリーニングする際，クリーニングブラシが斜め前方に向くこととなるので，使い勝手がさらに向上する。
また，望ましくは，前記把持部には，研磨用部材を着脱可能に装着する。
このように構成すると，把持部を握り，研磨用部材を用いてクラブヘッドをより綺麗にクリーニングすることができる。
さらに望ましくは，前記研磨用部材が，細目用部材と，この細目用部材に一体的に結合された荒目用部材とを有しており，当該研磨用部材の前記把持部に対する装着方向を選択することにより，細目用部材と荒目用部材とを選択的に使用可能な構成とする。
このような構成とすると，クラブヘッドの汚れに応じて，細目用部材と荒目用部材とを選択的に使用し，より効率的にクラブヘッドをクリーニングすることができる。
また望ましくは，前記クリーニングピンが，その元部を前記本体に対して第１の回動中心回りに回動可能に設けられているとともに，前記操作部は前記クリーニングピンの回動中心とは別の第２の回転中心回りに回動可能に取り付けられており，当該操作部には，これを回動させた際に，前記クリーニングピンに当接しつつ前記第１の回動中心に近づいてクリーニングピンを突出させる当接部が設けられている構成とする。
このように構成すると，操作部を回動させることにより，その当接部がクリーニングピンに当接して当該クリーニングピンを回動させる際，クリーニングピンの回動中心である第１の回動中心と，操作部の回動中心である第２の回動中心とが別の中心であり，かつ，当接部がクリーニングピンに当接しつつ前記第１の回動中心に近づくことから，操作部の回動に対してクリーニングピンを徐々に突出させることが可能となる。
したがって，クリーニングピンが必要以上に勢いよく突出してしまうことを防止することができる。
さらに望ましくは，前記操作部は円板とこの円板と一体のリング状周壁とを有していて前記クリーニングピンを覆う円形カバーで構成し，この円形カバーを前記本体に対して前記クリーニングピンの回動中心とは別の第２の回転中心回りに回動可能に取り付けるとともに，前記周壁には，前記クリーニングピンの突出を許す開口を設け，かつ，この開口の口縁部で前記当接部を構成する。
このように構成すると，開口の他に別途当接部を設ける必要が無くなる。
【発明を実施するための最良の形態】
【０００６】
以下，本発明に係るゴルフクラブヘッドクリーナの一実施の形態について図面を参照して説明する。
先ず，ゴルフクラブヘッドクリーナの概要について説明し，次いで詳細について説明する。
【０００７】
図１は，本発明に係るゴルフクラブヘッドクリーナの一実施の形態を示す図で，（ａ）は使用時の外観斜視図，（ｂ）〜（ｄ）は使用状態を示す図である。
図２は操作法を示す図で，（ａ）は不使用状態の正面図，（ｂ）は図（ａ）の左側から見た部分省略斜視図，（ｃ）（ｄ）はクリーニングピンを突出させる手順を示す図，（ｅ）〜（ｇ）はクリーニングブラシを突出させる手順を示す図，（ｈ）（ｉ）は研磨用部材の選択手順を示す図，（ｊ）は研磨用部材の斜視図である。
【０００８】
図１，図２に示すように，このゴルフクラブヘッドクリーナ１は，把持可能な本体１０と，この本体１０に対して後述するように回動可能に設けられたクリーニングピン２０と，本体１０に回動可能に設けられた操作部３０であって，当該操作部３０を回動させることによりクリーニングピン２０を回動させて当該クリーニングピン２０の先端２１を本体１０に対し出没させる操作部３０と，本体１０に回動可能に設けられた基部４０と，この基部４０に植設されたクリーニングブラシ４１とを有し，基部４０を回動させることによりクリーニングブラシ４１が本体１０に対し出没するようになっている。
【０００９】
図２（ｄ）に示すようにクリーニングピン２０を突出させた状態で，図１（ｂ）に示すようにゴルフクラブヘッドＧの表面溝部に付着した異物をピンの先端２１で掻き落とすことができ，図２（ｇ）に示すようにクリーニングブラシ４１を突出させた状態で，図１（ｃ）に示すようにゴルフクラブヘッドＧの表面に付着した泥，埃等を払い落とすことができる。また，図１（ｄ）に示すように，本体１０の下部に取り付けられている研磨用部材５０でゴルフクラブヘッドＧの錆，くすみ等を落とすことができる。
【００１０】
クリーニングピン２０を突出させるには，図２（ｃ）（ｄ）に示すように，操作部３０を矢印ａ方向（図２において時計方向）へ回動させる。
図２（ｂ）に示すように，操作部３０の周壁には開口３１が設けられており，後述する構造によって，操作部３０を回動させると，この開口３１からクリーニングピン２０が突出する。
操作部３０は指掛け部３２を有するダイヤル形状となっており，指掛け部３２に指をかけて容易に回動させることができる。
【００１１】
クリーニングブラシ４１を突出させるには，先ず，図２（ｅ）に矢印ｂで示すように基部４０の一端４２を押す，すると図（ｆ）に示すように，他端４３が本体１０から突出するので，この他端４３に指をかけて基部４０を矢印ｃ方向（図２において反時計方向）へ回動させる。これにより，図（ｇ）に示すようにクリーニングブラシ４１が突出する。
以上から明らかなように，クリーニングピン２０を突出させる際の操作部３０の回動方向と，クリーニングブラシ４１を突出させる際の基部４０の回動方向は，逆方向となっている。
【００１２】
図２（ａ）に示すように，本体１０はクリーニングピン２０と操作部３０とが設けられる円盤部１１と，この円盤部１１から一体に伸びる把持部１２とを有しており，図２（ｄ）に示すように，把持部１２の伸び方向１２ａと，突出された状態のクリーニングピン２０の突出方向２０ａとが鈍角θ１をなす。
また，図２（ｇ）に示すように，把持部１２の伸び方向１２ａと，突出された状態のクリーニングブラシ４１の突出方向４１ａとが鈍角θ２をなす。
【００１３】
図２（ｈ）（ｉ）に示すように，研磨用部材５０は，把持部１２の下部に対して着脱可能に装着されている。
研磨用部材５０は，細目用部材５１と，この細目用部材５１に一体的に結合された荒目用部材５２とを有しており，把持部１２に対する装着方向を選択することにより，細目用部材５１と荒目用部材５２とを選択的に使用可能である。
研磨用部材５０の着脱手順については後述する。
【００１４】
次に，このゴルフクラブヘッドクリーナ１の詳細について説明する。
図３はゴルフクラブヘッドクリーナ１の外観を示す図で，（ａ）は正面図，（ｂ）は右側面図，（ｃ）は背面図，（ｄ）はクリーニングピン２０とクリーニングブラシ４１とを突出させた正面図である。
図４（ａ）は部分透視正面図，（ｂ）は部分透視背面図，（ｃ）は組み立て図（右側面図）である。
図５は本体１０を示す図で，（ａ）は正面図，（ｂ）は平面図，（ｃ）は右側面図，（ｄ）は左側面図，（ｅ）は背面図，（ｆ）は底面図である。
図６も本体１０を示す図で，（ａ）は図５におけるＡ−Ａ断面図，（ｂ）は図５におけるＢ−Ｂ断面図，（ｃ）は図５におけるＣ−Ｃ断面図，（ｄ）は図５におけるＤ−Ｄ断面図，（ｅ）は図６（ｂ）における部分省略ｅ−ｅ断面図である。
図７はクリーニングピン２０を示す図で，（ａ）は正面図，（ｂ）は右側面図，（ｃ）は左側面図である。
図８は操作部３０を示す図で，（ａ）は正面図，（ｂ）は平面図，（ｃ）は図（ａ）におけるｃ−ｃ断面図，（ｄ）は図（ａ）におけるｄ−ｄ断面図，（ｅ）はｅ矢視図，（ｆ）は部分省略ｆ矢視図，（ｇ）は図（ａ）における部分省略ｇ−ｇ断面図，（ｈ）は図（ｇ）におけるｈ−ｈ断面図，（ｉ）は背面図，（ｊ）は図（ｉ）における部分省略ｊ−ｊ端面図，（ｋ）はｋ矢視図である。
図９は基部４０およびクリーニングブラシ４１を示す図で，（ａ）は正面図，（ｂ）は右側面図，（ｃ）は底面図である。
図１０は基部４０を示す図で，（ａ）は正面図，（ｂ）は右側面図，（ｃ）は左側面図，（ｄ）は底面図，（ｅ）は背面図，（ｆ）は図（ｅ）におけるｆ−ｆ端面図，（ｇ）は図（ｅ）におけるｇ−ｇ端面図である。
図１１はスライダ７０を示す図で，（ａ）は正面図，（ｂ）は底面図，（ｃ）は図（ｂ）におけるｃ−ｃ断面図，（ｄ）は図（ｂ）の右側面図，（ｅ）は図（ｂ）におけるｅ−ｅ断面図である。
図１２は割ピン軸６１を示す図で，（ａ）は正面図，（ｂ）は側面図，（ｃ）は底面図，（ｄ）は図（ａ）におけるｄ−ｄ端面図，（ｅ）は図（ａ）におけるｅ−ｅ端面図である。
図１３は差し込みピン軸６２を示す図で，（ａ）は正面図，（ｂ）は側面図，（ｃ）は底面図，（ｄ）は図（ａ）におけるｄ−ｄ端面図，（ｅ）は図（ａ）におけるｅ−ｅ端面図である。
図１４（ａ）〜（ｄ）はクリーニングピン２０の回動動作説明図である。
図１５（ａ）（ｂ）は基部４０およびクリーニングブラシ４１の回動動作説明図である。
【００１５】
図４〜図６に示すように，本体１０はクリーニングピン２０と操作部３０とが設けられる円盤部１１と，この円盤部１１から一体に伸びる把持部１２とを有する側面視略Ｈ形の一体成型品である。
円盤部１１は，前板１１ａと後板１１ｂとを有しており，中心部には，ピン軸６１，６２の差し込み穴１１ｃが設けられている。
前板１１ａの前面には，クリーニングピン２０を回動可能に支持する第１の回動中心としての軸部１３と，この軸部１３に回動可能に支持されたクリーニングピン２０（図１４参照）の回動範囲を規定する第１突起１４ａおよび第２突起１４ｂと，円盤部１１に装着される操作部３０の回動を案内する円弧状突部１５，１５と，操作部３０の回動にクリック感を持たせるための突起１６ａ付きの舌片１６と，操作部３０の回動戻し位置を示すマークＭ１とが一体的に形成されている。
なお，円弧状突起１５，１５の湾曲中心はピン軸６１，６２の差し込み穴１１ｃである。
後板１１ｂの前面には，クリーニングブラシ４１の基部４０の回動範囲を規定する突起１７，１７が設けられている。
【００１６】
図７に示すように，クリーニングピン２０は，その先端２１を先鋭に加工し，元部２２をリング状に曲げ加工してなり，元部２２の穴２３を上記本体１０の軸部１３に嵌め合わせることによって，本体１０の円盤部１１に回動可能に取り付けられる（図１４参照）。クリーニングピン２０は金属製である。
【００１７】
図８に示すように，操作部３０は円板３３とこの円板３３と一体のリング状周壁３４とを有していて前記クリーニングピン２０を覆う略ドーム形形状の円形カバーで構成されている。
操作部３０の中心部には，ピン軸６１，６２（図４参照）の差し込み穴３０ｃが設けられており，後述するようにしてピン軸６１，６２が挿入されることにより，このピン軸６１，６２を回転中心（第２の回転中心）として，回動可能に本体１０に対して取り付けられる。
周壁３４には，前記クリーニングピン２０の突出を許す，前述した開口３１が設けられている。
【００１８】
操作部３０の裏面には，リング部３５が設けられている。このリング部３５は，図（ｉ）および図（ｃ）に示すように，高さが低くて肉薄の第１部分３５ａと，高さが高くて肉厚の第２部分３５ｂとを有しており，第２部分３５ｂの両端部には，突部３５ｃが設けられている。
操作部３０が後述するようにピン軸６１，６２で本体１０に取り付けられた際，第１部分３５ａの下面３５ｄはクリーニングピン２０の軸部１３の頭部と近接し，あるいは軽く接触する（図４（ａ）参照）。これによって，クリーニングピン２０の軸部１３からの抜けが防止される。また，第２部分３５ｂは，本体１０の突起付き舌片１６の突起１６ａと対向し得る状態となる（図１４（ｃ）参照）。
【００１９】
操作部３０の前面には，操作部３０の回動戻し位置を示すマークＭ２が設けられている。また，操作部３０を摘んで回動させることを容易にするための凹溝３６が前面および周面に亘って複数設けられている。
操作部３０が回動操作されるとき，周壁３４の内面３４ａが上記本体１０の円弧状突起１５と摺接してガイドされる（図１４（ｃ）参照）。
【００２０】
図１４はクリーニングピン２０の回動動作説明図で，図（ａ）はクリーニングピン２０が本体１０内に収納されている状態を示している。
この状態から操作部３０を時計方向へ回動させると，その過程で図（ｂ）に示すように，操作部３０の開口３１における一方の口縁部３１ａがクリーニングピン２０に当接する。
さらに操作部３０を回動させると，図（ｃ）に示すようにクリーニングピン２０は前記口縁部３１ａに押されて開口３１から突出し始める。なお，本体１０には膨出部１０ａが形成されており，この膨出部１０ａは，突出するクリーニングピン２０の先端２１から持ち手を保護する役割を果たす。
さらに，操作部３０を回動させると，クリーニングピン２０はさらに前記口縁部３１ａに押されて開口３１からさらに突出し，図（ｄ）に示すように第１突起１４ａでその回動が規制されるまで回動した時点で止まる。クリーニングピン２０の回動が規制される結果，操作部３０の回動操作も規制されることとなる。この状態は，操作部３０における第２部分３５ｂの一方の突部３５ｃが突起付き舌片１６の突起１６ａを乗り越えた状態であり，操作部３０の回動操作はクリック感をもって停止されることとなる。
この図（ｄ）に示す状態がクリーニングピン２０の使用状態の図である（図１（ｂ），図２（ｄ）参照）。
図（ａ）〜（ｄ）から分かるように，口縁部３１ａは，操作部３０を回動させた際にクリーニングピン２０に当接しつつ第１の回動中心１３に近づいてクリーニングピン２０を突出させる当接部を構成している。
【００２１】
クリーニングピン２０を収納するときは，図（ｄ）に示す状態から操作部３０を反時計方向へ回動させる。
その過程で他方の口縁部３１ｂがクリーニングピン２０に当接してクリーニングピン２０を反時計方向へ回動させ，図（ａ）に示すように，クリーニングピン２０が第２突起１４ｂに当接するまで操作部３０を回動させることで，クリーニングピン２０が本体１０内に収納されることとなる。図（ａ）に示す状態は，操作部３０における第２部分３５ｂの他方の突部３５ｃが突起付き舌片１６の突起１６ａを乗り越えた状態であり，操作部３０の回動操作はクリック感をもって停止されることとなる。また，このとき，操作部３０のマークＭ２が本体１０のマークＭ１と一致する（図３（ａ）参照）。
【００２２】
図９および図１０に示すように，基部４０の底面には，穴４４が複数設けられており，この穴４４にクリーニングブラシ４１が植設されている。
基部４０の中心部には，ピン軸６１，６２（図４参照）の差し込み穴４０ｃが設けられている。
基部４０の背部には，凹所４５が設けられており，基部４０を本体１０に装着する際，凹所４５内に，前記本体１０の突起１７，１７を入れるようにして装着する。
したがって，基部４０は，上記凹所４５内を突起１７が相対的に移動し得る範囲内で回動可能となる（図１５参照）。
基部４０の左側下部には，これを押し込みやすくするための突部４２（前述した一端）が形成されており，右側下部には，基部４０を回しやすくするための指掛け部４３（前述した他端）が形成されている。
基部４０の周面には，基部４０を回しやすくするための突条４６が複数形成されている。
【００２３】
図１５はクリーニングブラシ４１の回動動作説明図で，図（ａ）はクリーニングブラシ４１が本体１０内に収納されている状態を示している。
この状態から，上述したようにして，基部４０を反時計方向へ回動させ，図（ｂ）に示すように，凹所４５の一側壁４５ａが上記突起１７に当接するまで回動させる。
この図（ｂ）に示す状態がクリーニングブラシ４１の使用状態の図である（図１（ｃ），図２（ｇ）参照）。
クリーニングブラシ４１を収納するときは，図（ｂ）に示す状態から基部４０を図（ａ）に示すように凹所４５の他側壁４５ｂが上記突起１７に当接するまで回動させる。
【００２４】
クリーニングピン２０，操作部３０，および基部４０は次のようにして本体１０に装着される。
先ず，本体１０の円盤部１１における前板１１ａと後板１１ｂとの間に基部４０を嵌め込む（図４（ｃ）参照）。この際，前板１１ａと後板１１ｂの弾性を利用して撓ませ，上述したように，基部４０の凹所４５内に本体１０の突起１７，１７を入れるようにして嵌め込む。なお，図４（ｃ）においてクリーニングブラシ４１は省略してあるが実際には，基部４０にはクリーニングブラシ４１が植設されている（図９参照）。
次いで，クリーニングピン２０の穴２３を本体の軸部１３に入れ，操作部３０を被せる（図４（ｃ）参照）。
その後，図４（ｃ）に示すように，一方のピン軸６１を背面側から挿入し，他方のピン軸６２を正面側から挿入する。これによって，クリーニングピン２０，操作部３０，および基部４０が，それぞれ回動可能な状態で本体１０に装着される。
基部４０は前板１１ａと後板１１ｂとで挟圧された状態となり，ある程度強い力を加えないと回動しない状態となる。
また，操作部３０も，差し込みピン軸６２の頭部６２ａと前板１１ａとで挟圧された状態となり，ある程度強い力を加えないと回動しない状態となる。
【００２５】
一方のピン軸６１は，図１２に示すように，割ピン状の軸であり，これが本体１０，基部４０，および操作部３０に挿入されると，先端のフック部６３が操作部３０における穴３０ｃの縁部３０ｄ（図８（ｄ）参照）に係合する。
他方のピン軸６２は，図１３に示すように，板状の差し込み部６５を有する差し込みピン軸であり，その差し込み部６５の両側面に爪６６が形成されている。
差し込み部６５を正面側から割ピン軸６１に差し込むと，爪６６が，割ピン軸６１の内面に形成されている切り欠き凹部６４（図１２（ａ）参照）と係合して，差し込みピン軸６２の割ピン軸６１からの抜けが防止される。また，差し込みピン軸６２が割ピン軸６１に差し込まれることによって，割ピン軸６１のフック部６３同士の間隔の狭まりが防止され，割ピン軸６１の本体１０からの抜けも防止される。
すなわち，図４（ｃ）に示すように一方のピン軸６１を背面側から挿入し，他方のピン軸６２を正面側から挿入すると，これらのピン軸割ピン軸６１，差し込みピン軸６２はいずれも抜けなくなる。
なお，図１３に示すように，差し込みピン軸６２の差し込み部６５の両面には，割ピン軸６１の先端を相対的に案内するガイド溝６７が形成されている。
【００２６】
図４〜図６に示すように，本体１０の把持部１２の下部は相対向する一対の可撓板１８，１８で構成されており，この可撓板１８，１８には，図１１に示すようなスライダ７０が装着される。
図６（ｃ）（ｄ）に示すように，可撓板１８は，下方に向かって肉厚に形成されているため，図２（ｈ）（ｉ）に示すように，可撓板１８にスライダ７０が装着された状態で，スライダ７０を矢印Ｓ１方向へスライドさせると，可撓板１８同士の間隔が開き，Ｓ２方向へスライドさせると可撓板１８同士の間隔が狭まることとなる。
したがって，スライダ７０をＳ１方向へスライドさせることにより，研磨用部材５０を抜き差しすることができ，研磨用部材５０を装着した状態でスライダ７０をＳ２方向へスライドさせると，研磨用部材５０が可撓板１８，１８によって挟持されることとなる。
可撓板１８の下部には，スライダ７０の抜けを防止するための爪１８ａが形成されている。
スライダ７０には，指掛け部７１（図１１参照）が形成されている。
研磨用部材５０は砂消しゴム状のものであり，使用を重ねることにより消耗して短くなってくるが，可撓板１８の内面には，ギザ１８ｂが形成されていて研磨用部材５０を確実に挟持できるようになっているので，研磨用部材５０が短くなった状態で，図４（ａ）に矢印Ｆで示すように，研磨用部材５０を本体１０内に入り込ませるような力が作用しても，容易には入り込まない。
【００２７】
以上のようなゴルフクラブヘッドクリーナ１によれば次のような作用効果が得られる。
このゴルフクラブヘッドクリーナ１は，把持可能な本体１０と，この本体１０に回動可能に設けられたクリーニングピン２０と，本体１０に回動可能に設けられた操作部であって，当該操作部を回動させることによりクリーニングピン２０を回動させてクリーニングピン２０の先端２１を本体１０に対し出没させる操作部３０とを備えているので，クリーニングピン２０が回動によって本体１０から突出する。このため，クリーニングピン２０を突出させて使用する際にクリーニングピン２０に作用する力の方向とクリーニングピンが本体に戻る方向とが異なることとなる。したがって，必ずしもロック機構を設けなくてもクリーニングピン２０が本体１０に戻りにくくなって使い勝手が向上する。
【００２８】
さらに，この実施の形態では，図４（ｄ）に示すようにクリーニングピン２０を突出させた際，クリーニングピン２０が第１突起１４ａと操作部３０の口縁部３１ａとで挟まれた状態となり，かつクリーニングピン２０の使用時には操作部３０に指が当てられて操作部３０の回動が規制されることが多いので，クリーニングピン２０が反時計側（収納側）に回動するという事態も殆ど生じなくなり，良好な使い勝手が得られる。
また，クリーニングピン２０を回動構造にして本体に対して出没可能としてあるので，クリーニングピン２０が誤って突出するという事態が生じにくくなる。
【００２９】
このゴルフクラブヘッドクリーナは，把持可能な本体１０と，この本体１０に回動可能に設けられた基部４０と，この基部４０に植設されたクリーニングブラシ４１とを有し，基部４１を回動させることによりクリーニングブラシ４１が本体１０に対し出没する構成となっているので，クリーニングブラシ４１が回動によって本体１０から突出する。このため，クリーニングブラシ４１を突出させて使用する際にクリーニングブラシ４１に作用する力の方向とクリーニングブラシ４１が本体に戻る方向とが異なることとなる。したがって，必ずしもロック機構を設けなくてもクリーニングブラシ４１が本体１０に戻りにくくなって使い勝手が向上する。
また，クリーニングブラシ４１を回動構造にして本体１０に対して出没可能としてあるので，クリーニングブラシ４１が誤って突出するという事態が生じにくくなる。
【００３０】
このゴルフクラブヘッドクリーナは，クリーニングピン２０を突出させる際の操作部３０の回動方向と，クリーニングブラシ４１を突出させる際の基部４０の回動方向とを逆方向としてあるので，クリーニングピン２０とクリーニングブラシ４１とが本体１０に対して異なる方向へ突出する（図１（ａ）参照）。
したがって，クリーニングピン２０とクリーニングブラシ４１とを同時に突出させて使用する際の使い勝手が向上する。すなわち，ブラシ４１を利用する場合，ピン２０は邪魔にならず，ピン２０を利用する場合，ブラシ４１は邪魔にならない。
【００３１】
本体１０はクリーニングピン２０と操作部３０とが設けられる円盤部１１と，この円盤部１１から一体に伸びる把持部１２とを有し，この把持部１２の伸び方向と，突出された状態のクリーニングピン２０の突出方向とが鈍角をなす構成としてあるので，把持部１２を握ってクリーニングする際，クリーニングピン２０が斜め前方に向くこととなる。したがって，使い勝手がさらに向上する。
また把持部１２の伸び方向と，突出された状態のクリーニングブラシ４１の突出方向とが鈍角をなす構成としてあるので，把持部１２を握ってクリーニングする際，クリーニングブラシ４１が斜め前方に向くこととなる。したがって，使い勝手がさらに向上する。
【００３２】
把持部１２には，研磨用部材５０を着脱可能に装着してあるので，把持部１２を握り，研磨用部材５０を用いてクラブヘッドをより綺麗にクリーニングすることができる。
さらに，研磨用部材５０は，細目用部材５１と，この細目用部材５１に一体的に結合された荒目用部材５２とを有しており，研磨用部材５０の把持部１２に対する装着方向を選択することにより，細目用部材５１と荒目用部材５２とを選択的に使用可能な構成としてあるので，クラブヘッドの汚れに応じて，細目用部材５１と荒目用部材５２とを選択的に使用し，より効率的にクラブヘッドをクリーニングすることができる。
【００３３】
クリーニングピン２０が，その元部２２を本体１０に対して第１の回動中心１３回りに回動可能に設けられているとともに，操作部３０はクリーニングピンの回動中心１３とは別の第２の回転中心（６１，６２）回りに回動可能に取り付けられており，操作部３０には，これを回動させた際に，クリーニングピン２０に当接しつつ第１の回動中心１３に近づいてクリーニングピン２０を突出させる当接部３１ａが設けられているので，操作部３０を回動させることにより，その当接部３１ａがクリーニングピン２０に当接してクリーニングピン２０を回動させる際，クリーニングピン２０の回動中心である第１の回動中心１３と，操作部３０の回動中心である第２の回動中心（６１，６２）とが別の中心であり，かつ，当接部３１ａがクリーニングピン２０に当接しつつ第１の回動中心１３に近づくことから，操作部３０の回動に対してクリーニングピン２０が徐々に突出することとなる。すなわち，操作部３０を同一速度で回動させたとすると，先端２１は初めのうちは比較的ゆっくりと突出し，その後比較的速く突出することとなる（図１４参照）。
したがって，クリーニングピン２０が初めから必要以上に勢いよく突出してしまうことを防止することができる。
【００３４】
操作部３０は円板３３とこの円板３３と一体のリング状周壁３４とを有していてクリーニングピン２０を覆う円形カバーで構成し，この円形カバーを本体１０に対してクリーニングピン２０の回動中心１３とは別の第２の回転中心（６１，６２）回りに回動可能に取り付けるとともに，周壁３４には，クリーニングピン２０の突出を許す開口３１を設け，かつ，この開口３１の口縁部３１ａで前記当接部を構成してあるので，開口３１の他に別途当接部を設ける必要が無くなる。
【００３５】
以上，本発明の実施の形態について説明したが，本発明は上記の実施の形態に限定されるものではなく，本発明の要旨の範囲内において適宜変形実施可能である。
【図面の簡単な説明】
【００３６】
【図１】本発明に係るゴルフクラブヘッドクリーナの一実施の形態を示す図で，（ａ）は使用時の外観斜視図，（ｂ）〜（ｄ）は使用状態を示す図。
【図２】操作法を示す図で，（ａ）は不使用状態の正面図，（ｂ）は図（ａ）の左側から見た部分省略斜視図，（ｃ）（ｄ）はクリーニングピンを突出させる手順を示す図，（ｅ）〜（ｇ）はクリーニングブラシを突出させる手順を示す図，（ｈ）（ｉ）は研磨用部材の選択手順を示す図，（ｊ）は研磨用部材の斜視図。
【図３】ゴルフクラブヘッドクリーナの外観を示す図で，（ａ）は正面図，（ｂ）は右側面図，（ｃ）は背面図，（ｄ）はクリーニングピン２０とクリーニングブラシ４１とを突出させた正面図。
【図４】（ａ）はゴルフクラブヘッドクリーナの部分透視正面図，（ｂ）は部分透視背面図，（ｃ）は組み立て図（右側面図）。
【図５】本体１０を示す図で，（ａ）は正面図，（ｂ）は平面図，（ｃ）は右側面図，（ｄ）は左側面図，（ｅ）は背面図，（ｆ）は底面図。
【図６】本体１０を示す図で，（ａ）は図５におけるＡ−Ａ断面図，（ｂ）は図５におけるＢ−Ｂ断面図，（ｃ）は図５におけるＣ−Ｃ断面図，（ｄ）は図５におけるＤ−Ｄ断面図，（ｅ）は図６（ｂ）における部分省略ｅ−ｅ断面図。
【図７】クリーニングピン２０を示す図で，（ａ）は正面図，（ｂ）は右側面図，（ｃ）は左側面図。
【図８】操作部３０を示す図で，（ａ）は正面図，（ｂ）は平面図，（ｃ）は図（ａ）におけるｃ−ｃ断面図，（ｄ）は図（ａ）におけるｄ−ｄ断面図，（ｅ）はｅ矢視図，（ｆ）は部分省略ｆ矢視図，（ｇ）は図（ａ）における部分省略ｇ−ｇ断面図，（ｈ）は図（ｇ）におけるｈ−ｈ断面図，（ｉ）は背面図，（ｊ）は図（ｉ）における部分省略ｊ−ｊ端面図，（ｋ）はｋ矢視図。
【図９】基部４０およびクリーニングブラシ４１を示す図で，（ａ）は正面図，（ｂ）は右側面図，（ｃ）は底面図。
【図１０】基部４０を示す図で，（ａ）は正面図，（ｂ）は右側面図，（ｃ）は左側面図，（ｄ）は底面図，（ｅ）は背面図，（ｆ）は図（ｅ）におけるｆ−ｆ端面図，（ｇ）は図（ｅ）におけるｇ−ｇ端面図。
【図１１】スライダ７０を示す図で，（ａ）は正面図，（ｂ）は底面図，（ｃ）は図（ｂ）におけるｃ−ｃ断面図，（ｄ）は図（ｂ）の右側面図，（ｅ）は図（ｂ）におけるｅ−ｅ断面図。
【図１２】割ピン軸６１を示す図で，（ａ）は正面図，（ｂ）は側面図，（ｃ）は底面図，（ｄ）は図（ａ）におけるｄ−ｄ端面図，（ｅ）は図（ａ）におけるｅ−ｅ端面図。
【図１３】差し込みピン軸６２を示す図で，（ａ）は正面図，（ｂ）は側面図，（ｃ）は底面図，（ｄ）は図（ａ）におけるｄ−ｄ端面図，（ｅ）は図（ａ）におけるｅ−ｅ端面図。
【図１４】（ａ）〜（ｄ）はクリーニングピン２０の回動動作説明図。
【図１５】（ａ）（ｂ）は基部４０およびクリーニングブラシ４１の回動動作説明図。
【符号の説明】
【００３７】
１    ゴルフクラブヘッドクリーナ
１０    本体
１１    円盤部
１２    把持部
１３    軸部（第１の回転中心）
２０    クリーニングピン
２１    先端
２２    元部
３０    操作部
３１    開口
３１ａ  口縁部（当接部）
３３    円板
３４    周壁
４０    基部
４１    クリーニングブラシ
５０    研磨用部材
５１    細目用部材
５２    荒目用部材
６１，６２      ピン軸（第２の回転中心）
【図１】
2006075291.tif 000003
【図２】
2006075291.tif 000004
【図３】
2006075291.tif 000005
【図４】
2006075291.tif 000006
【図５】
2006075291.tif 000007
【図６】
2006075291.tif 000008
【図７】
2006075291.tif 000009
【図８】
2006075291.tif 000010
【図９】
2006075291.tif 000011
【図１０】
2006075291.tif 000012
【図１１】
2006075291.tif 000013
【図１２】
2006075291.tif 000014
【図１３】
2006075291.tif 000015
【図１４】
2006075291.tif 000016
【図１５】
2006075291.tif 000017